(57)【要約】オーディオブロードキャストのテレビジョンおよび／またはサラウンドサウンドシステムのコントロールを統合するテレビジョンおよびサラウンドサウンドシステムを含むオーディオ−ビデオエンターテイメントシステムのためシステムおよび方法。より具体的に、１つの実施形態において、オーディオ−ビデオエンターテイメントシステムは、サラウンドサウンドシステムの中央チャンネルスピーカーのようなテレビジョンスピーカーを組み込むテレビジョンおよびサラウンドサウンドシステムを含む。もう１つの実施形態において、オーディオ−ビデオエンターテイメントシステムは、サラウンドサウンドシステムの中央チャンネルスピーカーのようなテレビジョンスピーカーを組み込むオプションを有するテレビジョン駆動のサラウンドサウンドシステムを含む。
2012501593.tif 000002
【特許請求の範囲】
【請求項１】
ユーザーによって選択されたビューイングアクティビティーを処理する命令を受信するステップであって、該選択されたビューイングアクティビティーがサラウンドサウンドのサウンドモード設定を含む、ステップと、
オーディオセンタチャンネル入力接続からのオーディオ信号をテレビジョンスピーカーに出力するステップと
を含む、プロセス。
【請求項２】
ビューイングアクティビティーを選択するように前記ユーザーを促すステップをさらに含む、請求項１に記載のプロセス。
【請求項３】
前記ビューイングアクティビティーを選択するようにユーザーを促すステップは、前記テレビジョンのディスプレイスクリーン上のナビゲート可能なユーザーインターフェースのビューイングアクティビティーのリストを表すことを含む、請求項２に記載のプロセス。
【請求項４】
前記リストは、グラフィックアイコンの形状である、請求項３に記載のプロセス。
【請求項５】
前記ビューイングアクティビティーのリストは、「映画を見る」、「ＴＶを見る」、「ニュースを見る」、「スポーツを見る」、および「ゲームをプレイする」のうちの１つ以上を含む、請求項３に記載のプロセス。
【請求項６】
前記テレビジョンのメモリーに格納された前記ビューイングアクティビティーに対応する前記サウンドモード設定を回復するステップをさらに含む、請求項１に記載のプロセス。
【請求項７】
前記ビューイングアクティビティーを選択した観察者のアイデンティティーを受け取るステップをさらに含む、請求項１に記載のプロセス。
【請求項８】
前記選択されたビューイングアクティビティーに対して、前記サウンドモード設定を前記観察者の好みに対応するサウンドモード設定に切り替えるステップをさらに含む、請求項７に記載のプロセス。
【請求項９】
前記ビューイングアクティビティーを選択した前記観察者を識別するステップをさらに含む、請求項８に記載のプロセス。
【請求項１０】
前記観察者を識別するステップは、観察者固有の特性をメモリーに格納された観察者固有の特性と比較することを含む、請求項９に記載のプロセス。
【請求項１１】
前記観察者固有の特性は、指紋である、請求項１０に記載のプロセス。
【請求項１２】
ユーザーによって選択されたビューイングアクティビティーを処理するための命令を受信するステップであって、該選択されたビューイングアクティビティーがサラウンドサウンドのサウンドモード設定を含む、ステップと、
テレビジョンにリンクされたスピーカーを駆動するために、現在の選択されたオーディオ入力ソースからのオーディオ信号のオーディオチャンネルを該テレビジョンの適切なオーディオ出力接続に出力するステップと
を含む、プロセス。
【請求項１３】
前記ビューイングアクティビティーを選択するようにユーザーを促すステップをさらに含む、請求項１に記載のプロセス。
【請求項１４】
前記ビューイングアクティビティーを選択するようにユーザーを促すステップは、前記テレビジョンのディスプレイスクリーン上のナビゲート可能なユーザーインターフェースのビューイングアクティビティーのリストを表すことを含む、請求項２に記載のプロセス。
【請求項１５】
前記リストは、グラフィックアイコンの形状である、請求項３に記載のプロセス。
【請求項１６】
前記ビューイングアクティビティーのリストは、「映画を見る」、「ＴＶを見る」、「ニュースを見る」、「スポーツを見る」、および「ゲームをプレイする」のうちの１つ以上を含む、請求項３に記載のプロセス。
【請求項１７】
前記テレビジョンのメモリーに格納された前記ビューイングアクティビティーに対応する前記サウンドモード設定を回復するステップをさらに含む、請求項１に記載のプロセス。
【請求項１８】
前記ビューイングアクティビティーを選択した観察者のアイデンティテーを受け取るステップをさらに含む、請求項１に記載のプロセス。
【請求項１９】
前記選択されたビューイングアクティビティーに対して、前記サウンドモード設定を前記観察者の好みに対応するサウンドモード設定に切り替えるステップをさらに含む、請求項７に記載のプロセス。
【請求項２０】
観察者固有の特性をメモリーに格納された観察者固有の特性と比較することによって、前記ビューイングアクティビティーを選択した前記観察者を識別するステップをさらに含む、請求項８に記載のプロセス。
【発明の詳細な説明】
【技術分野】
【０００１】
（技術分野）
本発明は、一般的にサラウンドサウンドシステムに、およびより具体的にオーディオブロードキャストおよびシステムコントロールにおいてテレビジョンの一体化を容易にするシステムおよび方法に関する。
【背景技術】
【０００２】
（背景情報）
ＴＶおよび他の部品の能力が増加し、およびＨＤＴＶの導入のためにビデオ品質が部分的にわれわれの目が識別し得る限界により近づくので、ますます多くの消費者は、真に迫ったサラウンドサウンド体験を有するＨＤビデオの体験にマッチしようとする。サラウンドサウンドは、一般的に、中央、前方左、および前方右のような「スクリーンチャンネル」と対照的な左のサラウンド、右のサラウンド、および後ろのサラウンドのいくつかの組み合わせにおいて視聴者の「周囲の」チャンネルに対して、マルチチャンネルオーディオの応用を指す。４．０チャンネルまたはより高いサラウンドにおいて、システムは、典型的に、中央チャンネルスピーカー、左前方チャンネルスピーカーおよび右前方チャンネルスピーカー、２つ以上の後ろまたは後ろおよびサイドのサラウンドチャンネルスピーカー、およびサブウーファーを駆動するための低い周波数効果チャンネルを含む。例えば、５．１チャンネルサラウンドにおいて、システムは、典型的に、中央チャンネルスピーカー、左前方チャンネルスピーカーおよび右前方チャンネルスピーカー、２つ以上の左後ろおよび右後ろのサラウンドチャンネルスピーカー、およびサブウーファーを駆動するための低い周波数効果チャンネルを含む。
【０００３】
典型的に、消費者は、サウンドシステムスピーカーを駆動するために、高度な端末オーディオ−ビデオ受信器（ＡＶＲ）を必要とする。ＡＶＲは、オーディオソースに依存して、いくつかの利用可能なスピーカーに対応するいくつかのチャンネルからオーディオ信号を抽出し、または利用可能なスピーカーに対応するいくつかの別々のオーディオチャンネルに引き渡すデコーダを含む。例えば、５．１チャンネルサラウンドシステムにおいて、デコーダは、オーディオソースに依存して、特別的にコード化された２チャンネルソースかステレオソースかから５つのオーディオチャンネルおよび１つのＬＦＥチャンネルを抽出し、および５つのスピーカーおよび１つのサブウーファーに分配し、または６つのチャンネルからの５つの別々のオーディオチャンネルおよび１つのＬＦＥチャンネルを５つのスピーカーおよび１つのサブウーファーに引き渡す。しかし、消費者にとって、ＡＶＲの部品の追加は、消費者のホームエンターテイメントシステムに複雑さの他のレベルを加え、そのシステムのコントロールが、しばしば、いらだちと共に困ったものであり得る。
【０００４】
さらに、テレビジョン自身の１つのスピーカーまたは複数のスピーカーが、しばしば、最適の位置であるゆえに、サラウンドサウンドシステムのための別個の中央チャンネルスピーカーの追加は、システムにとって、コストおよび複雑さの必要がないレベルを加えるように見える。
【発明の概要】
【発明が解決しようとする課題】
【０００５】
従って、別個の中央チャンネルスピーカーおよび／または別個のＡＶＲ部品に対するニーズを除去することが望ましい。
【課題を解決するための手段】
【０００６】
（要約）
本明細書に提供される実施形態は、テレビジョンおよびサラウンドサウンド機能のシームレスシステムコントロールを有するオーディオ−ビデオ受信器（ＡＶＲ）タイプのサラウンド機能の統合を容易にするシステムおよび方法を対象とする。１つの実施形態において、オーディオ−ビデオエンターテイメントシステムは、中央チャンネルスピーカーのようなテレビジョンスピーカーを組み込むテレビジョンおよびサラウンドサウンドシステムを含む。例えば、典型的な目的のみための５．１チャンネルシステムのように描かれるサラウンドサウンドは、好ましくは、ＡＶＲの中央チャンネル出力に結合されるテレビジョンを有するオーディオ−ビデオ受信器（ＡＶＲ）、ＡＶＲの低い周波数チャンネル出力に結合されるサブウーファー、ＡＶＲの左と右前方チャンネル出力に結合される左と右前方スピーカー、および左と右後ろサラウンドチャンネル出力に結合される左と右後ろサラウンドスピーカーを含む。テレビジョンは、好ましくは、オーディオとビデオ入力接続と、オーディオスピーカーのようなオーディオ−ビデオ出力と、コントロールシステムに結合されるビデオディスプレイスクリーンとを含む。コントロールシステムは、ＴＶ内に存在し、中央処理ユニット（ＣＰＵ）とシステムコントロールソフトウェアが格納される不揮発性メモリーとを含むコントロールモジュール、コントロールモジュールおよびビデオ信号入力接続に結合されるスクリーン上のディスプレイ（ＯＳＤ）コントローラ、ＯＳＤコントローラに結合されるイメージディスプレイエンジン、およびディスプレイスクリーンを含む。コントロールシステムは、ＩＲ、ＣＥＣ（消費者電子コントロール）または類似なデータ通信プロトコルを用いたＡＶＲのためのコントロールインターフェース、コントロールモジュールに結合されるオーディオデコーダ−コントローラ、オーディオ入力接続、およびオーディオスピーカーをさらに含む。テレビジョンのオーディオ入力接続は、好ましくは、普通のオーディオ入力接続と、ＡＶＲの中央チャンネル出力が接続され得るオーディオセンタチャンネル入力接続とを含む。
【０００７】
動作中、コントロールシステムソフトウェアに提供されるメニューシステムを使うユーザーは、「サラウンドサウンド」または「テレビジョンオーディオ」を選択し得る。「テレビジョンオーディオ」が選択される場合、コントロールシステムソフトウェアは、内部のテレビジョンオーディオデコーダ／コントローラに、現在選択されたオーディオソース入力からのオーディオ信号をデコード化し、かつテレビジョンスピーカーに出力するように命令する。しかし、「サラウンドサウンド」が選択される場合、コントロールシステムソフトウェアは、内部のテレビジョンオーディオコントローラに、オーディオセンタチャンネル入力接続からのオーディオ信号をテレビジョンスピーカーに出力するように命令する。さらに、コントロールシステムは、ＡＶＲにパワーをつけるように命令し得る。
【０００８】
もう１つの実施形態において、オーディオ−ビデオエンターテイメントシステムは、テレビジョンおよびサラウンドサウンドシステムを含む。サラウンドサウンドシステムは、好ましくは、ＡＶＲを含まなく、しかしむしろテレビジョンは、サラウンドサウンドシステムを駆動するように構成される。テレビジョンは、好ましくは、オーディオおよびビデオ入力接続、オーディオスピーカーおよびビデオディスプレイスクリーンのようなオーディオ−ビデオ出力、およびコントロールシステムに結合されるオーディオ出力接続を含む。前述のように、コントロールシステムは、中央処理ユニット（ＣＰＵ）とシステムコントロールソフトウェアが格納される不揮発性メモリーとを含むコントロールモジュール、コントロールモジュールおよびビデオ信号入力接続に結合されるスクリーン上のディスプレイ（ＯＳＤ）コントローラ、ＯＳＤコントローラに結合されるイメージディスプレイエンジン、およびディスプレイスクリーンを含む。コントロールシステムは、コントロールモジュールに結合されるオーディオデコーダ−コントローラ、オーディオ入力と出力接続、およびオーディオスピーカーをさらに含む。オーディオ入力接続は、好ましくは、普通のオーディオ入力接続を含み、その一方で、オーディオ出力接続は、左と右前方、左と右後ろサラウンド、および低い周波数効果チャンネル出力接続、および任意に中央チャンネル出力接続を含む。サラウンドサウンドシステムのスピーカーは、好ましくは、以下：低い周波数チャンネル出力に結合されるサブウーファー、左と右前方チャンネル出力に結合される左と右前方スピーカー、および左と右後ろサラウンドチャンネルテレビジョン出力に結合される左と右後ろサラウンドスピーカー、および任意な外部の中央チャンネルスピーカーのようなオーディオ出力接続に結合される。
【０００９】
サラウンドサウンドシステムは、５．１システムのような典型的な目的のみために記述されるが、普通の当業者は、本明細書に記述される実施形態が、より複雑でないシステム構成も、例えば、７．１サラウンド構成等のようなより複雑または先進のシステム構成に適応できることを既に認識する。
【００１０】
動作中、コントロールシステムソフトウェアに提供されるメニューシステムを使うユーザーは、「サラウンドサウンド」または「テレビジョンオーディオ」を選択し得る。「テレビジョンオーディオ」が選択される場合、コントロールシステムソフトウェアは、オーディオデコーダ／コントローラに、現在選択されたオーディオソースからのオーディオ信号をデコード化し、かつテレビジョンスピーカーに出力するように命令する。しかし、「サラウンドサウンド」が選択される場合、コントロールシステムソフトウェアは、オーディオデコーダ／コントローラに、現在選択されたオーディオ入力ソースからのオーディオ信号をデコード化し、およびオーディオチャンネルを適切なオーディオ出力接続に出力するように命令する。
【００１１】
もう１つの実施形態において、ユーザーは、サラウンドサウンドモードに利用される別個の中央チャンネルスピーカーかテレビジョンスピーカーかを選択し得る。
【００１２】
なお、もう１つの実施形態において、テレビジョンは、中央チャンネル出力接続を含まなく、サラウンドサウンドモードにおけるとき、中央チャンネル出力をテレビジョンスピーカーに指示する。
【００１３】
なお、もう１つの実施形態において、サラウンドサウンドシステムは、テレビジョンと、サブウーファーおよび左と右前方、左と右後ろサラウンド、および中央スピーカーとの間に置くオーディオパワー増幅器を含み得る。
【００１４】
もう１つの代替的な実施形態において、「サラウンドサウンド」または「テレビジョンオーディオ」の好まれたサラウンドモード設定は、異なるビューイング体験またはアクティビティーに従うように保存され得る。例えば、「ニュースを見る」、「映画を見る」、「音楽を聞く」、「ゲームをプレイする」等のようなアクティビティー。このようなビューイングアクティビティーは、ＴＶディスプレイスクリーン上またはリモートコントロールユニット上のスクリーン上のメニューで表され得、および選択されるとき、コントロールシステムウェアは、オーディオデコーダ／コントローラに、現在選択されたオーディオソースからのオーディオ信号をデコード化し、かつビューイングアクティビティーのために選択されるサウンドモード設定に対応するスピーカーに出力するように命令する。「テレビジョンオーディオ」がビューイングアクティビティーのために選択される場合、コントロールシステムソフトウェアは、オーディオデコーダ／コントローラに、現在選択されたオーディオソースからのオーディオ信号をデコード化し、かつテレビジョンスピーカーに出力するように命令する。しかし、「サラウンドサウンド」がビューイングアクティビティーのために選択される場合、コントロールシステムソフトウェアは、オーディオデコーダ／コントローラに、現在選択されたオーディオ入力ソースからのオーディオ信号をデコード化し、およびオーディオチャンネルを適切なオーディオ出力接続に出力するように命令する。
【００１５】
本発明の他のシステム、方法、特徴および利点は、当業者にとって、次の図面および詳細の記述の調査上に明白であり、または明白になる。
【図面の簡単な説明】
【００１６】
（図面の簡単な記述）
組立、構造および動作を含む本発明の詳細は、同様の参照数字が同様の部分を指す添付の図面の調査によって、一部分で収集され得る。図面の構成要素は、必ずしも等縮尺ではなく、代わりに、強調が本発明の原理を説明するのに置かれる。加えて、全部の説明図は、概念を伝えるつもりであり、相対的なサイズ、形状および他の詳細な属性が、厳密的または正確的より概要的に説明され得る。
【図１】図１は、テレビジョンおよびそれのコントロールシステムの略図を描く。
【図２】図２は、サラウンドサウンドシステムの中央チャンネルスピーカーのようなテレビジョンスピーカーを組み込むテレビジョンおよびサラウンドサウンドシステムを有するオーディオ−ビデオエンターテイメントシステムの平面図を描く。
【図３】図３は、テレビジョンおよびそれのコントロールシステムの代替の実施形態の略図を描く。
【図４】図４は、テレビジョン駆動のサラウンドサウンドシステムを有するオーディオ−ビデオエンターテイメントシステムの代替の実施形態の平面図を描く。
【図５】図５は、サラウンドサウンドシステムの中央チャンネルスピーカーのようなテレビジョンスピーカーを組み込むテレビジョン駆動のサラウンドサウンドシステムを有するオーディオ−ビデオエンターテイメントシステムの代替の実施形態の平面図を描く。
【図６Ａ】図６Ａと６Ｂは、グラフィックユーザーインターフェースのアクティビティー選択メニューを示すテレビジョンスクリーンの略図を描く。
【図６Ｂ】図６Ａと６Ｂは、グラフィックユーザーインターフェースのアクティビティー選択メニューを示すテレビジョンスクリーンの略図を描く。
【発明を実施するための形態】
【００１７】
（詳細な記述）
本明細書に記述されるシステムおよび方法は、オーディオブロードキャストのテレビジョンおよび／またはサラウンドサウンドシステムのコントロールを統合するテレビジョンおよびサラウンドサウンドシステムを含むオーディオ−ビデオエンターテイメントシステムのために提供する。より具体的に、１つの実施形態において、オーディオ−ビデオエンターテイメントシステムは、サラウンドサウンドシステムの中央チャンネルスピーカーのようなテレビジョンスピーカーを組み込むテレビジョンおよびサラウンドサウンドシステムを含む。もう１つの実施形態において、オーディオ−ビデオエンターテイメントシステムは、サラウンドサウンドシステムの中央チャンネルスピーカーのようなテレビジョンスピーカーを組み込むオプションを有するテレビジョン駆動のサラウンドサウンドシステムを含む。
【００１８】
図面に詳細を合わせると、図１は、中央チャンネルスピーカーのようなテレビジョンスピーカー３２／３４を組み込むサラウンドサウンドシステム６０を含む図２に示されるオーディオ−ビデオエンターテイメントシステム５０に組み込まれたテレビジョン１０の実施形態の略図を描く。典型的な目的のみための５．１チャンネルシステムのように描かれ、普通の当業者が既に認識するサラウンドサウンドシステム６０は、より複雑でないシステム構成も、例えば、７．１サラウンド構成等のようなより複雑または先進のシステム構成も含み得、好ましくは、ＡＶＲ６２の中央チャンネル出力６４に結合されるテレビジョン１０を有するオーディオ−ビデオ受信器（ＡＶＲ）６２、ＡＶＲ６２の低い周波数チャンネル出力６９に結合されるサブウーファー７９、ＡＶＲ６０の左と右前方チャンネル出力６１と６３に結合される左と右前方スピーカー７１と７３、および左と右後ろサラウンドチャンネル出力６５と６７に結合される左と右後ろサラウンドスピーカー７５と７７を含む。テレビジョン１０は、図１に示されるように、好ましくは、オーディオとビデオ入力接続３８と３６と、オーディオスピーカー３２と３４のようなオーディオ−ビデオ出力と、コントロールシステム１２に結合されるビデオディスプレイスクリーン３０とを含む。コントロールシステム１２は、好ましくは、中央処理ユニット（ＣＰＵ）２２とシステムコントロールソフトウェア２６が格納される不揮発性メモリー２４とを含むコントロールモジュール２０、コントロールモジュール２０およびビデオ信号入力接続３６に結合されるスクリーン上のディスプレイ（ＯＳＤ）コントローラ１４、ＯＳＤコントローラ１４に結合されるイメージディスプレイエンジン１６、およびディスプレイスクリーン３０を含む。
【００１９】
メニューを基にしたコントロールシステムおよびグラフィックユーザーインターフェースの詳細な議論は、米国の公表された特許出願Ｎｏ．ＵＳ２００２−０１７１６２４Ａ１で提供され、前記文献が本明細書で参照することによって組み込まれる。’６２４出願は、グラフィックユーザーインターフェースを有するメニューを基にしたコントロールシステムを用いて、テレビジョンと結合され、かつコントロールされたオーディオ−ビデオ部品の集中されたコントロールに関して、メニューを基にしたコントロールシステムおよびその動作を記述する。
【００２０】
コントロールシステム２０は、ＩＲ、ＣＥＣ（消費者電子コントロール）または類似なデータ通信プロトコルを用いたＡＶＲのためのコントロールインターフェース、コントロールモジュール２０に結合されるオーディオデコーダ−コントローラ１８、オーディオ入力接続３６と３８、およびオーディオスピーカー３２と３４をさらに含む。オーディオ入力接続は、好ましくは、普通のオーディオ入力接続３６と、ＡＶＲ６２の中央チャンネル出力６４が接続され得るオーディオセンタチャンネル入力接続３８とを含む。
【００２１】
動作中、コントロールシステムソフトウェア２６に提供されるメニューシステムを使うユーザーは、サラウンドサウンドのためのスピーカーがテレビジョンのオーディオ出力に接続される場合、「テレビジョンオーディオ」、「２．０ステレオ」、「３．１ステレオ」または「サラウンドサウンド」のような利用可能なオーディオモードを選択し得る。「テレビジョンオーディオ」が選択される場合、コントロールシステムソフトウェア２６は、オーディオデコーダ／コントローラ１８に、現在選択されたオーディオソース入力からのオーディオ信号をデコード化し、かつテレビジョンスピーカー３２と３４に出力するように命令する。しかし、「サラウンドサウンド」が選択される場合、コントロールシステムソフトウェアは、オーディオデコーダ／コントローラに、オーディオセンタチャンネル入力接続３８からのオーディオ信号をテレビジョンスピーカー３２と３４に出力するように命令する。しかし、例えば、テレビジョンの左と右オーディオ出力に結合される左または右スピーカーがない場合、サラウンドサウンドモードは、テレビジョンスピーカー３２と３４を利用する。スピーカーが物理的に、コネクター自身のスイッチかインピーダンスを測定することかを通して接続されることを測定することによって、セットアッププロセスを自動化し、および有効なスピーカーモードのみがユーザーインターフェースに表されることを確保することを可能にする。
【００２２】
図４に描かれるもう１つの実施形態において、オーディオ−ビデオエンターテイメントシステム１５０は、テレビジョン１１０およびサラウンドサウンドシステム１６０を含む。サラウンドサウンドシステム１６０は、好ましくは、ＡＶＲを含まなく、しかしむしろテレビジョン１１０は、サラウンドサウンドシステム１６０を駆動するように構成される。テレビジョン１１０は、図３に描かれるように、好ましくは、オーディオおよびビデオ入力接続１３６、オーディオスピーカー１３２と１３４およびビデオディスプレイスクリーン１３０のようなオーディオ−ビデオ出力、およびコントロールシステム１１２に結合されるオーディオ出力接続１４０を含む。前述のように、コントロールシステムは、中央処理ユニット（ＣＰＵ）１２２とシステムコントロールソフトウェア１２６が格納される不揮発性メモリー１２４とを含むコントロールモジュール１２０、コントロールモジュール１２０およびビデオ信号入力接続１３６に結合されるＯＳＤコントローラ１１４、ＯＳＤコントローラ１１４に結合されるイメージディスプレイエンジン１１６、およびディスプレイスクリーン１３０を含む。コントロールシステム１１２は、コントロールモジュール１２０に結合されるオーディオデコーダ−コントローラ１１８、オーディオ入力と出力接続１３６と１４０、およびオーディオスピーカー１３２と１３４をさらに含む。オーディオ入力接続１３６は、好ましくは、普通のオーディオ入力接続を含み、その一方で、オーディオ出力接続１４０は、中央１４２、左と右前方１４９と１４８、左と右後ろサラウンド１４７と１４６、および低い周波数効果１４４チャンネル出力接続を含む。サラウンドサウンドシステム１６０のスピーカーは、好ましくは、以下：リンク１６９を介して低い周波数チャンネル出力１４４に結合されるサブウーファー１７９、リンク１６１と１６３を介して左と右前方チャンネル出力１４９と１４８に結合される左と右前方スピーカー１７１と１７３、リンク１６５と１６７を介して左と右後ろサラウンドチャンネル出力１４７と１４６に結合される左と右後ろサラウンドスピーカー１７５と１７７、およびリンク１６４に介して中央チャンネル出力１４２に対する中央スピーカー１７２のようなオーディオ出力接続１４０に結合される。
【００２３】
１つの実施形態において、増幅器１８０は、システム１６０に結合され得、オーディオチャンネルスピーカー１７１、１７３、１７５、１７７および低い周波数チャンネルスピーカー１７９と、テレビジョン１１０オーディオ出力１４０との間に置く。もう１つの実施形態において、ＥＩＡＪ光学リンク出力は、デジタルクラスＤ全範囲増幅器（モノラルかマルチチャンネルか）に対するデジタル接続のために使われ得る。モノラルの場合、増幅器は、ケーブルのデイジーチェーンを許可する。各増幅器は、例えば、デジタルサウンド入力を直接に取り得るこれらの高いパワーモジュールを用いられるのに使われるどちらのチャンネルを選択するための小さいスイッチを有し得る。その結果、オーディオは、この方法においてパワー増幅器に対してデジタル権限にとどまる。オーディオ信号は、圧縮され得るか非圧縮され得るか。このようなパワー増幅器は、ＴＶ内に埋め込まれ得、かつ各スピーカー内に埋め込まれ得か、外部ボックスであるか。
【００２４】
動作中、コントロールシステムソフトウェア１２６に提供されるメニューシステムを使うユーザーは、サラウンドサウンドのためのスピーカーがテレビジョンのオーディオ出力に接続される場合、「テレビジョンオーディオ」、「２．０ステレオ」、「３．１ステレオ」または「サラウンドサウンド」のような利用可能なオーディオモードを選択し得る。「テレビジョンオーディオ」が選択される場合、コントロールシステムソフトウェア１２６は、オーディオデコーダ／コントローラ１１８に、現在選択されたオーディオ入力ソースからのオーディオ信号をデコード化し、かつテレビジョンスピーカー１３２と１３４に出力するように命令する。しかし、「サラウンドサウンド」が選択される場合、コントロールシステムソフトウェア１２６は、オーディオデコーダ／コントローラ１１８に、現在選択されたオーディオ入力ソースからのオーディオ信号をデコード化し、およびオーディオ出力接続にリンクされるスピーカーを駆動するためにオーディオチャンネルを適切なオーディオ出力接続１４０に出力するように命令する。しかし、例えば、テレビジョンの左と右オーディオ出力に結合される左または右スピーカーがない場合、サラウンドサウンドモードは、テレビジョンスピーカー１３２と１３４を利用する。スピーカーが物理的に、コネクター自身のスイッチかインピーダンスを測定することかを通して接続されることを測定することによって、セットアッププロセスを自動化し、および有効なスピーカーモードのみがユーザーインターフェースに表されることを確保することを可能にする。
【００２５】
代替的に、ユーザーは、別個の中央チャンネルスピーカー１７２を選択するように促され得、またはテレビジョンスピーカー１３２と１３４は、「サラウンドサウンド」モードに利用される。
【００２６】
図５を出すと、オーディオ−ビデオエンターテイメントシステム２５０のもう１つの実施形態は、サラウンドサウンドシステム２６０を駆動するために使われるテレビジョン２１０を含むように示される。テレビジョン２１０は、好ましくは、中央チャンネル出力接続を含まなく、および従って、「サラウンドサウンド」モードにおけるとき、全部の中央チャンネル出力をテレビジョンスピーカー２３２と２３４に指示する。前の実施形態のうちの１つと同じように、サラウンドサウンドシステム２６０は、テレビジョン２１０と、サブウーファー１７９、左と右前方１７１と１７３、および左と右後ろサラウンドオーディオスピーカー１７５と１７７との間に置くオーディオ増幅器１８０を含み得る。
【００２７】
もう１つの代替的な実施形態において、好まれたサラウンドモード設定は、異なるビューイング体験またはアクティビティーに従うように保存され得る。例えば、「ニュースを見る」、「映画を見る」、「スポーツを見る」、「音楽を聞く」、「ゲームをプレイする」等のようなアクティビティー。このようなビューイングアクティビティーは、図６Ａと６Ｂに描かれるように、ＴＶディスプレイスクリーン３０上またはリモートコントロールディスプレイスクリーン上のアクティビティーメニュー３７または３８で表され得、特定のアクティビティーが選択されるとき、コントロールシステムウェアは、オーディオデコーダ／コントローラ１１８に、現在選択されたオーディオソースからのオーディオ信号をデコード化し、かつビューイングアクティビティーのために選択されるサウンドモード設定に対応するスピーカーに出力するように命令する。「テレビジョンオーディオ」がビューイングアクティビティーのために選択される場合、コントロールシステムソフトウェアは、オーディオデコーダ／コントローラに、現在選択されたオーディオソースからのオーディオ信号をデコード化し、かつテレビジョンスピーカーに出力するように命令する。しかし、「サラウンドサウンド」がビューイングアクティビティーのために選択される場合、コントロールシステムソフトウェアは、オーディオデコーダ／コントローラに、現在選択されたオーディオ入力ソースからのオーディオ信号をデコード化し、およびオーディオチャンネルを適切なオーディオ出力接続に出力するように命令する。
【００２８】
好ましくは、特定のアクティビティーを選択することによって、ＴＶおよび接続されたデバイスは、自動的につけ、選択されたアクティビティーに対して好まれた接続および設定をインプリメントする。例えば、「映画を見る」が選択される場合、次のアクションが行われ得る。
【００２９】
１、ブルーレイプレーヤーが「オン」につけられる。
【００３０】
２、ＴＶがオンであり、ブルーレイプレーヤーが入力ソースとして選択される。
【００３１】
３、映画ビデオ設定が適用される。
【００３２】
４、システムがサラウンドモードに切り替えられる。
【００３３】
５、ボリュームが強くされる。
【００３４】
加えて、さらなる代替的な実施形態において、個々のオーディオおよびビデオ設定は、与えられたアクティビティーのために最適化されたビューイングおよびリスニングの体験に対して、各アクティビティーごとに保存され得る。この特徴は、メディアセンターＰＣ、Ｐｌａｙｓｔａｔｉｏｎ３、ＸＢＯＸ３６０等のように、存在し、およびゲームをプレイし、映画を見、写真をビューする等ために使われ得るマルチモードデバイスに特に役に立ち、ユーザーは、デバイスアクティビティーモード、すなわち、「ゲームをプレイする」、「映画を見る」等のごとに異なるアクティビティーの好みをセットアップするような望みを有する。メディアセンターＰＣがブルーレイ映画を再生するために使われる（「映画」を見るアクティビティーメニュー）とき、ＴＶは、その映画を見る設定をインプリメントし、およびこの場合で３Ｄ設定を無効にする。従って、ゲームおよび映画の能力を提供する組み合わせデバイス（Ｐｌａｙｓｔａｔｉｏｎ３、ＸＢＯＸ３６０および他）のユーザーは、「ゲームをプレイする」および「映画を見る」の各アクティビティーのための別個の最適化されたオーディオおよびビデオ設定を有し得る。
【００３５】
前の詳説において、本発明は、それの具体的な実施形態を参照することと共に記述される。しかし、多様な修正および変化が、本発明のより広い真意および範囲から外れることなしにそれに加えられ得ることは明白である。例えば、読者は、本明細書に記述されたプロセスフローダイヤグラムで示されるプロセス実行の具体的な順序および組み合わせが、特に明記しない限り、単に例となり、および本発明が、異なるまたは追加のプロセス実行、またはプロセス実行の異なる組み合わせまたは順序を用いて行われ得ることを理解し得る。もう１つの例のように、１つの実施形態の各特徴は、他の実施形態で示される他の特徴と混ぜられ、かつマッチされ得る。当業者に知られる特徴およびプロセスは、望まれるように類似に組み込まれ得る。さらにおよび明白的に、特徴は望まれるように追加され、かつ引かれ得る。従って、本発明は、添付の請求項およびそれらの同等物を考慮する以外に制限されるべきではない。
【図１】
2012501593.tif 000003
【図２】
2012501593.tif 000004
【図３】
2012501593.tif 000005
【図４】
2012501593.tif 000006
【図５】
2012501593.tif 000007
【図６Ａ】
2012501593.tif 000008
【図６Ｂ】
2012501593.tif 000009
【国際調査報告】
2012501593.tif 000010